(57)【要約】  【課題】  電源線により電源から伝送される供給電力を，室内機の制御基板に伝送する電源線及び室外機に伝送する電源線に分配する分配端子の増設に伴う部品点数の増加及びコストの増大を抑制し得る空気調和機の室内機を提供すること。  【解決手段】  電源線により電源から伝送される供給電力を，室内機及び室外機を制御する制御基板２７に伝送する電源線及び室外機に伝送する電源線に分配する分配端子４１を，前記制御基板２７などの制御機器を収容する電装ボックス２４（制御機器収容筐体に相当）の内部に前記制御機器とは別体に収容する。【選択図】図４
2006214681.tif 000002
【特許請求の範囲】
【請求項１】
本体筐体の両側端部の一方端近傍に配設され当該室内機及び室外機を少なくとも制御する制御機器を収容する制御機器収容筐体と，
電力供給源から当該室内機に入力される供給電力を伝送する電力伝送手段と，
前記電力伝送手段により伝送される前記供給電力を，前記制御機器へ伝送する第１の伝送手段と前記室外機へ伝送する第２の伝送手段とに分配する電力分配手段と，
前記制御機器収容筐体が配設された前記一方端近傍の反対側の他方端近傍で前記第２の伝送手段を中継する中継手段と，
を備えてなり，
前記第２の伝送手段が，前記中継手段を経由して該中継手段が配設された前記他方端近傍から前記室外機に向けて導出されてなる空気調和機の室内機であって，
前記電力分配手段が，前記制御機器収容筐体の内部に前記制御機器とは別体に収容されてなることを特徴とする空気調和機の室内機。
【請求項２】
前記制御機器収容筐体の内壁に前記電力分配手段を係合させる係合部が設けられてなり，前記電力分配手段が前記係合部に係合されることにより前記制御機器収容筐体の内壁に取り付けられてなる請求項１に記載の空気調和機の室内機。
【発明の詳細な説明】
【技術分野】
【０００１】
本発明は，制御基板などの制御機器を収容する制御機器収容筐体と，前記制御機器と室外機との接続を中継する中継端子などの中継手段と，を備えてなる空気調和機の室内機に関し，特に，前記制御機器収容筐体と前記中継手段とが本体筐体の両側端部各々の近傍に分けて配設された空気調和機の室内機に関するものである。
【背景技術】
【０００２】
室内機と室外機とにより構成されるいわゆるセパレート型の空気調和機にあっては，その室内機には，前記室内機及び前記室外機を制御する制御回路が実装された制御基板（制御機器）を収容する電装ボックス（制御機器収容筐体）と，該電装ボックス内の前記制御基板と前記室外機との接続を中継する中継端子（中継手段）とが備えられている。
従来，前記中継端子は，前記制御基板との接続を省配線化させるため，上記電装ボックスの外部近傍に設けられている（例えば，特許文献１参照）。
一方，近年では，前記室内機の内部に換気装置やマイナスイオン発生装置等のオプション機器等が装着されることにより，前記室内機の内部配置構造が複雑化する傾向にあり，必ずしも前記中継端子を前記電装ボックスの外部近傍に配設することが好適であるとは言えない。そこで，前記電装ボックスと前記中継端子とを室内機の本体筐体の両側端部各々に分けて配設する配置構造が検討されるようになってきた。しかしながら，このような配置構造を採用すると，以下に説明する問題を伴う。ここに，図６（ａ）〜（ｃ）は，電装ボックスと中継端子とを室内機の本体筐体の両側端部各々に分けて配設する従来の空気調和機の室内機Ｘにおける問題点を説明するための図，図６（ｄ）は，前記問題点を改善し得る前記室内機Ｘの構成を説明するための図である。
図６（ａ）〜（ｃ）に示すように，前記室内機Ｘの本体筐体１０１の左側端部には制御基板１０２を収容する電装ボックス１０３が配設され，前記本体筐体１０１の右側端部には中継端子１０４が配設されている。商用交流電源から前記室内機Ｘに入力される供給電力を伝送する電源線１０６ａ，１０６ｂと，前記制御基板１０２と室外機とを電気的に接続する電源線１０７ａ，１０７ｂとは，前記本体筐体１０１の右側端部から導出されて，商用交流電源或いは前記室外機に接続されている。また，前記制御基板１０２には，商用交流電源から室外機への電力供給の有無を切り替えるリレー（継電器）１０５が実装されている。このリレー１０５の一端には商用交流電源に接続された前記電源線１０６ａと前記中継端子１０４に接続された前記電源線１０７ａとが接続されている。このように構成された前記室内機Ｘにおける前記電源線１０６ｂ及び前記電源線１０７ｂは，例えば図６（ａ）〜（ｃ）に示すような後述の配線経路で配線される。
【０００３】
図６（ａ）に示す配線経路では，商用交流電源（例えばＡＣ１００Ｖ）に接続される電源線１０６ｂを，前記制御基板１０２に直接接続させている。これにより，商用交流電源からの供給電力が前記電源線１０６ａ及び前記電源線１０６ｂを経て前記室内機Ｘに供給される。また，商用交流電源からの供給電力を前記室外機にも供給するため，前記制御基板１０２と前記中継端子１０４とを前記電源線１０７ｂで電気的に接続させている。即ち，商用交流電源からの供給電力が前記制御基板１０２上で前記室内機Ｘと前記室外機とに分配されている。このような配線経路では，前記制御基板１０２における前記電源線１０６ｂ及び前記電源線１０７ｂの接続部であるパターン（不図示）が電力線路の一部を担うため，該パターンを商用交流電源からの供給電力に耐え得る大きさや仕様に形成することが必要となり，前記制御基板１０２のサイズ拡張，ひいては前記電装ボックス１０３や前記室内機Ｘのサイズを拡張させる要因となる。
【０００４】
また，図６（ｂ）に示す配線経路では，前記電源線１０７を兼ねる前記電源線１０６ｂを，前記本体筐体１０１の右側端部から左側端部を経た後，右側端部の前記中継端子１０４を経由させて前記制御基板１０２に接続させている。即ち，商用交流電源からの供給電力が前記中継端子１０４上で前記室内機Ｘと前記室外機とに分配されている。そのため，前記電装ボックス１０３と前記中継端子１０４との間に亘って配線される線材が一本増加することとなり省配線の観点から好ましくない。
一方，図６（ｃ）に示す配線経路では，前記電源線１０６ｂを前記本体筐体１０１の右側端部から前記中継端子１０４を経由させて前記制御基板１０２に接続させているため，前記電源線１０６ａと前記電源線１０６ｂの長さが異なることとなる。通常，前記電源線１０６ａ，１０６ｂは同一の長さであるため，この配線経路では前記電源線１０６ｂの配線時に該電源線１０６ｂにその長さの差分の無駄が生じることとなる。
【０００５】
そこで，図６（ａ）〜（ｃ）を用いて説明した上述の問題点を解決するべく，図６（ｄ）に示すように，商用交流電源からの供給電力を前記室内機Ｘと前記室外機とに分配する分配端子１０８を，前記本体筐体１０１の左側端部に設けることが考えられる。
図６（ｄ）に示す配線経路では，前記電源線１０６ｂを経て伝送される商用交流電源からの供給電力が，前記分配端子１０８で，前記制御基板１０２に伝送する電源線１０９と前記中継端子１０４を経由して前記室外機に伝送する電源線１０７ｂとに分配されている。なお，前記電源線１０７ａは，前記制御基板１０２から前記分配端子１０８を経由させて前記中継端子１０４に接続させている。この配線経路では，前記電源線１０６ａを前記制御基板１０２に直接接続させないため，該制御基板１０２のサイズの拡張が防止される。また，前記電装ボックス１０３と前記中継端子１０４との間に亘って配線される線材が増加することや，前記電源線１０６ａと前記電源線１０６ｂに長さの差が生じることがない。
【特許文献１】特開平１０−２６３６０号公報
【発明の開示】
【発明が解決しようとする課題】
【０００６】
ところで，一般に，前記電装ボックス１０３や前記中継端子１０４で発生する電磁波の漏洩や該電装ボックス１０３や前記中継端子１０４への外乱の影響，若しくは，該電装ボックス１０３や前記中継端子１０４の焼損或いは発火による被害拡大などを防止するために，前記電装ボックス１０３や前記中継端子１０４は板金で覆われる。なお，前述したように，前記電装ボックス１０３の外部に配設された前記中継端子１０４に，前記室内機Ｘの設置先において線材が接続される構成では，前記中継端子１０４を覆う板金はその線材の接続時に着脱可能であることが必要となるため，前記中継端子１０４を覆う板金は前記電装ボックス１０３を覆う板金とは別体の，例えば板金カバー部材として構成される。
ここで，前述した図６（ｄ）の配線経路を採用する構成，即ち前記電装ボックス１０３の近傍に前記分配端子１０８を設ける構成にも，前記中継端子１０４と同様に前記分配端子１０８を前記電装ボックス１０３の外部に配設する構成が考えられる。しかしながら，前記分配端子１０８を前記電装ボックス１０３の外部に配設すると，前記電装ボックス１０３を覆う板金や，前記中継端子１０４に着脱可能な板金カバー部材などに加えて，前記分配端子１０８を覆う板金が必要となるため，当該室内機Ｘの部品点数の増加及びコストの増大が問題となる。
従って，本発明は上記事情に鑑みてなされたものであり，その目的とするところは，電源線により電源から伝送される供給電力を，室内機の制御基板に伝送する電源線及び室外機に伝送する電源線に分配する分配端子の増設に伴う部品点数の増加及びコストの増大を抑制し得る空気調和機の室内機を提供することにある。
【課題を解決するための手段】
【０００７】
上記目的を達成するために本発明は，本体筐体の両側端部の一方端近傍に配設され当該室内機及び室外機を少なくとも制御する制御機器を収容する制御機器収容筐体の内部に，電力供給源から当該室内機に入力される供給電力を伝送する電力伝送手段により伝送される前記供給電力を，前記制御機器へ伝送する第１の伝送手段と前記室外機へ伝送する第２の伝送手段とに分配する電力分配手段が，前記制御機器とは別体に収容されてなることを特徴とする空気調和機の室内機として構成され，前記第２の伝送手段は，前記制御機器収容筐体が配設された前記一方端近傍の反対側の他方端近傍で前記第２の伝送手段を中継する中継手段を経由して該中継手段が配設された前記他方端近傍から前記室外機に向けて導出される。
本発明の構成によれば，前記電力分配手段が前記制御機器収容筐体の内部に収容されるため，該制御機器収容筐体を板金で覆うことにより，前記電力分配手段で発生する電磁波の漏洩や前記電力分配手段への外乱の影響，前記電力分配手段の焼損或いは発火による被害拡大などの防止が図られるため，前記電力分配手段を覆う別部材を必要とせず，当該室内機の部品点数の増加及びコストの増大が抑制される。なお，前記室内機では前記中継手段が設けられており，前記室内機の設置作業時に前記電力分配手段への線材の接続作業が必要ではないため，該電力分配手段を前記制御機器収容筐体に収容しても当該室内機の設置作業の作業性は低下されない。
また，前記制御機器収容筐体の内壁への前記電力分配手段の取り付け手法としては，前記制御機器収容筐体の内壁に前記電力分配手段を係合させる係合部を設けておき，前記電力分配手段を前記係合部に係合させる手法が考えられる。この取り付け手法を採用することにより，螺子などを用いる他の取り付け手法に比べて前記制御機器収容筐体の内壁への前記電力分配手段の取り付けが容易に可能となる。また，リサイクル等のために当該室内機を分解する際の作業性に鑑みた商品開発が強く望まれる近年の事情から，螺子などを用いることのない前記の取り付け手法は好適である。
【発明の効果】
【０００８】
本発明によれば，前記電力分配手段が前記制御機器収容筐体の内部に収容されるため，該制御機器収容筐体を板金で覆うことにより，前記電力分配手段で発生する電磁波の漏洩や前記電力分配手段への外乱の影響，前記電力分配手段の焼損或いは発火による被害拡大などの防止が図られるため，前記電力分配手段を覆う別部材を必要とせず，当該室内機の部品点数の増加及びコストの増大が抑制される。
また，前記制御機器収容筐体の内壁に前記電力分配手段を係合させる係合部を設けておき，前記電力分配手段を前記係合部に係合させる取り付け手法を採用することにより，前記電力分配手段を前記制御機器収容筐体の内壁に容易に取り付けることができる。さらに，リサイクル等のために当該室内機を分解する際の作業性に鑑みた商品開発が強く望まれる近年の事情から，螺子などを用いることのない前記の取り付け手法は好適である。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
本実施の形態は，商用交流電源からの供給電力を室内機と室外機とに分配するために用いられる分配端子などの電力分配手段が，前記室内機及び室外機を制御する制御回路が実装された制御基板などの制御機器が収容される電装ボックスの内部に前記制御機器とは別体に収容されることを特徴とする空気調和機の室内機の一例を説明するものである。
ここに，図１は本発明の実施の形態に係る空気調和機の室内機１の斜視図，図２は前記室内機１の前面パネル１１，オープンパネル１３及び熱交換器２１を取り外した状態を示す斜視図，図３は前記室内機１の側断面図，図４は電装ボックス２４の左側壁２４ｂ及び制御基板２７を取り外した状態を示す図，図５は前記端子台４２の取り付け手法の一例を説明するための図，図６は前記電装ボックス２４内に収容される前記端子台４２の取り付け状態の例を説明するための図である。
まず，図１を用いて，本発明の実施の形態に係る空気調和機の室内機１の外観構成について説明する。
前記室内機１は，屋外に配設された図示しない周知の室外機と各種の配管・配線で接続されることにより，所謂セパレート型の空気調和機を構成するものである。前記室内機１は，図１の斜視図に示すように，前面パネル１１，キャビネット１２，オープンパネル１３，ドレンパン１４等を具備して構成される本体筐体１０によりその外観が構成されており，該本体筐体１０の上部には室内の空気を吸い込む吸込口１５が形成されており，該本体筐体１０の下部には熱交換された空気を室内に吹き出す吹出口１６が形成されている。
【００１０】
続いて，図２及び図３を用いて，前記室内機１の内部構成について説明する。
図２及び図３に示すように，前記室内機１は，冷媒と空気との間で熱交換を行う熱交換器２１と，前記熱交換器２１で凝縮された凝縮水を受ける前記ドレンパン１４及び回動可能に保持されたルーバー２２を有するルーバーユニット２３と，当該室内機１や前記室外機の各種の制御を行なう制御回路が実装された制御基板２７（制御機器の一例，図４参照）を収容する電装ボックス２４（制御機器収容筐体に相当）と，前記電装ボックス２４の下部に配設され室内空気を室外に排出する換気ファン２５と，所定の駆動モータにより回転駆動されることによって前記吸込口１５（図１参照）から室内空気を前記室内機１内に吸入すると共に該室内機１内の空気を前記吹出口１６（図１参照）から室内に吹き出す送風ファン２６と，前記制御基板２７と前記室外機との接続を中継する中継端子２８（中継手段の一例）と，前記熱交換器２１に接続される冷媒用配管や前記換気ファン２５に接続される換気用ダクトなどを収容するダクトスペース３１と，を具備してその内部が概略構成されている。また，本実施の形態における前記電装ボックス２４は前記本体筐体１０を正面から見て左側端近傍に配設され，前記中継端子２８は前記本体筐体１０を正面から見て右側端近傍に配設されており，前記電装ボックス２４から商用交流電源へ向けた配線や，前記中継端子２８から前記室外機へ向けた配線は，前記本体筐体１０の右側端部近傍から導出される。
このように構成された前記室内機１では，前記所定の駆動モータによって前記送風ファン２６が回転駆動されると，室内空気が前記吸込口１５から吸入され，前記熱交換器２１を通ることで該熱交換器２１の内部を流動する冷媒との間で熱交換されて冷却若しくは加熱され，その後，前記吹出口１６から室内に吹き出される。
【００１１】
次に，図４を用いて前記電装ボックス２４の内部構成について説明する。ここに，図４は前記電装ボックス２４の左側壁２４ｂ及び前記制御基板２７を取り外した状態を示す図であって（ａ）は上面図，（ｂ）は左側面図，（ｃ）は正面図，（ｄ）は右側面図である。
図４に示すように，前記電装ボックス２４の内部には，商用交流電源（電力供給源の一例）からの供給電力を少なくとも２以上の伝送路に分配する分配端子４１（電力分配手段の一例）を有する端子台４２が，前記制御基板２７とは別体に該電装ボックス２４の内壁の右側面２４ａに取り付けられた状態で収容されている。即ち，前記端子台４２は，前記制御基板２７に実装されずに孤立した状態で前記電装ボックス２４の内部に収容されている。
前記室内機１では，図６（ｄ）を用いて既に説明した前述の配線経路と同様に，前記分配端子４１が前記制御基板２７及び前記中継端子２８の各々に電気的に接続されており，商用交流電源から電源線（電力伝送手段に相当）を経て当該室内機１に入力される供給電力は，前記分配端子４１によって，前記制御基板２７に伝送する電源線（第１の伝送手段に相当）と前記中継端子２８を経由して前記室外機に伝送する電源線（第２の伝送手段に相当）とに分配される。なお，前記本体筐体１０内におけるその他の電源線の配線経路も，図６（ｄ）に示した配線経路と同様であるため，ここではその説明を省略する。
本室内機１では，前記のように前記分配端子４１を有する端子台４２が前記電装ボックス２４内に収容されている。これにより，前記電装ボックス２４を板金で覆うことによって，前記端子台４２で発生する電磁波の漏洩や前記端子台４２への外乱や，前記端子台４２の焼損或いは発火による被害拡大などを防止することができるため，前記分配端子４１を有する前記端子台４２を前記電装ボックス２４の外部に設けた場合に必要とされる前記端子台４２を覆う別部材を排除することができる。その結果，当該室内機１の部品点数の増加及びコストの増大を抑制することが可能となる。
なお，前記端子台４２が前記電装ボックス２４の内部に配設されることにより，当該室内機１の設置作業時の前記端子台４２の分配端子４１への線材の接続が困難になることが懸念されるが，本室内機１では，前記中継端子２８が配設されているため，当該室内機１を設置する作業者は，前記中継端子２８と前記室外機とを電気的に接続することにより，商用交流電源と前記室外機とを前記分配端子４１及び前記中継端子２８を経由して電気的に接続することが可能である。そのため，当該室内機１の設置作業時に前記端子台４２の分配端子４１への線材の接続作業は必要にならない。
【００１２】
ここで，図５を用いて，前記端子台４２を前記電装ボックス２４内に取り付ける手法の一例について説明する。
前記電装ボックス２４の内壁の右側面２４ａには，図５に示すように，前記端子台４２の一部を係合させる係合ツメ２４ａ−１，２４ａ−２（係合部の一例）が形成されている。そして，前記電装ボックス２４の内部への前記端子台４２の取り付け時には，該端子台４２を前記係合ツメ２４ａ−１，２４ａ−２に係合させることにより，該端子台４２が前記右側面２４ａに固定される。この取り付け作業は，螺子などを用いて装着する他の取り付け手法に比べて容易であり作業性に優れている。また，前記係合ツメ２４ａ−１，２４ａ−２は，例えばＡＢＳ樹脂などを用いた前記電装ボックス２４と一体形成することができるため，前記端子台４２の固定に螺子などを用いる必要がなく，リサイクル等のために当該室内機１を分解する際の作業性に好適である。もちろん，前記係合ツメ２４ａ−１，２４ａ−２を別部材として前記電装ボックス２４の内壁の右側面２４ａに取り付ける構成であってもよい。
また，本実施の形態では，前記端子台４２が前記電装ボックス２４の内壁の右側面２４ａに取り付けられる例について説明したが，該電装ボックス２４の内部に前記制御基板２７と別体に収容されていれば，前記電装ボックス２４の内壁の右側面２４ａに限られず，任意の位置に任意の状態で取り付ければよい。但し，前記端子台４２の取り付け状態の如何によっては，前記電装ボックス２４のサイズを拡張する必要が生じることが考えられる。以下，図５を用いて，この電装ボックス２４のサイズの拡張を防止し得る前記端子台４２の配設手法について説明する。
【００１３】
図５に示すように，本実施の形態における前記端子台４２は，横寸法ｗ，たて寸法ｄ，高さ寸法ｈに形成されており，これらの寸法は，横寸法ｗ＞たて寸法ｄ＞高さ寸法ｈの関係にある。したがって，前記電装ボックス２４の内壁の右側面２４ａに接触する前記端子台４２の取り付け面がいずれの面であるかによって，該端子台４２を収容する電装ボックス２４に必要な内部寸法に影響する。例えば，本実施の形態では，前記電装ボックス２４が，前記本体筐体１０の奥行き方向に長く，幅方向に短い形状であるため，前記端子台４２が前記電装ボックス２４内に収容された状態で該端子台４２の前記本体筐体１０の幅方向の寸法が，前記電装ボックス２４の前記本体筐体１０の幅方向の寸法を超過する場合には，その分，該電装ボックス２４の寸法を拡張させる必要がある。前記電装ボックス２４の前記本体筐体１０の幅方向の寸法を拡張させると，前記本体筐体１０の幅寸法が拡張され当該室内機１のサイズが拡張されることとなるため好ましくない。
そこで，本室内機１では，前記電装ボックス２４の幅方向の寸法の拡張を防止するため，図５に示すように，前記端子台４２が，高さ寸法ｈの方向と前記電装ボックス２４の幅方向とが略平行となるような状態で該電装ボックス２４に収容されている。これにより，前記端子台４２が，前記電装ボックス２４の幅方向の寸法を拡張させる要因とはならない。なお，前記端子台４２の取り付け状態（方向）は，前記電装ボックス２４におけるどの方向の寸法の拡張を防止するかに応じて適宜変更すればよい。
【図面の簡単な説明】
【００１４】
【図１】本発明の実施の形態に係る空気調和機の室内機１の斜視図。
【図２】本発明の実施の形態に係る空気調和機の室内機１の前面パネル１１，オープンパネル１３及び熱交換器２１を取り外した状態を示す斜視図。
【図３】本発明の実施の形態に係る空気調和機の室内機１の側断面図。
【図４】電装ボックス２４の左側壁２４ｂ及び制御基板２７を取り外した状態を示す図。
【図５】端子台４２の取り付け手法の一例を説明するための図。
【図６】従来の空気調和機の室内機Ｘにおける配線経路を説明するための図。
【符号の説明】
【００１５】
１…室内機
１０…本体筐体
１１…前面パネル
１２…キャビネット
１３…オープンパネル
１４…ドレンパン
２１…熱交換器
２２…ルーバー
２３…ルーバーユニット
２４…電装ボックス（制御機器収容筐体の一例）
２４ａ…電装ボックス２４の内壁の右側面
２４ａ−１，２４ａ−２…係合ツメ（係合部の一例）
２４ｂ…電装ボックス２４の左側壁
２５…換気ファン
２６…送風ファン
２７…制御基板（制御機器の一例）
２８…中継端子（中継手段の一例）
３１…ダクトスペース
４１…分配端子（電力分配手段の一例）
４２…端子台
【図１】
2006214681.tif 000003
【図２】
2006214681.tif 000004
【図３】
2006214681.tif 000005
【図４】
2006214681.tif 000006
【図５】
2006214681.tif 000007
【図６】
2006214681.tif 000008